(57)【特許請求の範囲】
【請求項１】
ループアンテナが、矩形形状の板状導体と平行又は概略平行に配置されて実装されるループアンテナ実装装置において、
前記板状導体が、前記ループアンテナの弧と直交して該板状導体の中心に向かって延びる１つ以上の切り込み部を有し、
前記切り込み部は、前記板状導体のうちのいずれか一辺と直交する向きに配置され、かつ、前記中心を含む前記板状導体の一部の領域が残るように形成されることを特徴とするループアンテナ実装装置。
【請求項２】
ループアンテナが、板状導体と平行又は概略平行に配置されて実装されるループアンテナ実装装置において、
前記板状導体に少なくとも１つの切り込み部を形成し、前記切り込み部上で且つ前記板状導体との間にギャップ空間が形成される状態に、導体板の一辺を、当該切り込み部のエッジに接合したキャパシタ手段を設けたことを特徴とするループアンテナ実装装置。
【請求項３】
前記キャパシタ手段における前記導体板と前記板状導体とのギャップ幅を可変調整することを特徴とする請求項２に記載のループアンテナ実装装置。
【請求項４】
前記キャパシタ手段の前記ギャップ空間に誘電体を装荷したことを特徴とする請求項３に記載のループアンテナ実装装置。
【請求項５】
前記板状導体に、当該板状導体の切り込み部を導体で覆う閉状態と、その覆いを解除して切り込み部が見える開状態とを自在に形成可能な開閉手段を組み合わせたことを特徴とする請求項１から４のいずれか１項に記載のループアンテナ実装装置。
【請求項６】
ループアンテナが、矩形形状の板状導体と平行又は概略平行に、当該ループアンテナに流れるアンテナ電流に対して鏡像となるループ状の鏡像電流が当該板状導体に流れるように実装されるループアンテナ実装装置において、
前記板状導体が、前記ループアンテナの弧と直交して該板状導体の中心に向かって延びる１つ以上の切り込み部を有し、
前記切り込み部は、前記板状導体のうちのいずれか一辺と直交する向きに配置され、かつ、前記中心を含む前記板状導体の一部の領域が残るように形成されることを特徴とするループアンテナ実装装置。
【請求項７】
ループアンテナが、板状導体と平行又は概略平行に、当該ループアンテナに流れるアンテナ電流に対して鏡像となるループ状の鏡像電流が当該板状導体に流れるように実装されるループアンテナ実装装置において、
前記板状導体が、前記ループアンテナの弧と直交して該板状導体の中心に向かって延びる少なくとも１つの切り込み部を有し、前記板状導体を、前記切り込み部に加え、前記鏡像電流を更に阻害するインピーダンスを発生させるキャパシタ形状としたことを特徴とするループアンテナ実装装置。
【請求項８】
ループアンテナが、板状導体と平行又は概略平行に、当該ループアンテナに流れるアンテナ電流に対して鏡像となるループ状の鏡像電流が当該板状導体に流れるように実装されるループアンテナ実装装置において、
前記板状導体に前記鏡像電流を直交に横切る少なくとも１つの切り込み部を形成し、前記切り込み部上で且つ前記板状導体との間にギャップ空間が形成される状態に、導体板の一辺を、当該切り込み部のエッジに接合したキャパシタ手段を設けたことを特徴とするループアンテナ実装装置。
【発明の詳細な説明】
【技術分野】
【０００１】
本発明は、携帯電話機等の小型集積端末装置の非接触充電システム（電磁誘導型）や非接触ＩＣカードシステム等に用いられるコイル状のループアンテナを実装したループアンテナ実装装置に関する。
【背景技術】
【０００２】
近年の携帯電話機等のワイヤレス端末機の小型化・多機能化の要求に伴い、端末機にループアンテナを実装する場合、図７（ａ）に示すように、ループアンテナ１１を回路基板のアース板やシールド板などの導体１３の近傍に配置する構成を採っている。
例えば携帯電話機等の複数無線装置を搭載する装置の場合、回路のグランドとしてだけではなく、携帯電話機の筺体基板そのものをアンテナ又はアンテナ用の地板として使用するケースもあり、この場合、アンテナは導体板の近傍に配置される構成となる。また、ワイヤレス端末機を駆動させる電池は殆どの場合、金属に覆われた構造となっているので、この場合もアンテナが導体の近傍に配置される構成となる。
【０００３】
また、電磁誘導型非接触充電は、近年実用化に大きく近づいている技術であり、更なる電力供給領域の拡大、供給エネルギーの向上が要求されている。しかし、エネルギーの供給を増加させた場合、発熱や回路の誤動作に繋がる恐れがあるため、充電対象の端末機側のコイルとその回路間にはシールドが必要不可欠であり、このシールド板はループアンテナの近傍に配置された状態となる。
【０００４】
このように、ループアンテナと導体が近傍配置状態となる従来技術として、例えば特許文献１に記載の技術がある。これは、コイル状のアンテナの裏側にアンテナの鏡像を形成する導体部材を設けた構成とすることで、更にその下に高周波電子回路を構成しても、電磁波による影響（ノイズ）を受けずに安定した動作を可能とする技術である。
【特許文献１】特開平１１−８８０３６号公報
【発明の開示】
【発明が解決しようとする課題】
【０００５】
しかし、上述したように、回路基板のアース板やシールド板などの平面状導体１３がループアンテナ１１の近傍に平行又は概略平行に配置された場合、図７（ｂ）及び（ｃ）に示すように、板状導体１３の表面にループアンテナ１１の電流（以降、アンテナ電流とも称す）ｉ１に対して鏡像となる円状又は渦状の誘導電流（鏡像電流）ｉ２が流れる。つまりアンテナ電流ｉ１の方向Ｙ１と逆方向Ｙ２の鏡像電流ｉ２がループ状に誘起され、この鏡像電流ｉ２により形成される磁界が、ループアンテナ１１により形成される磁界を相殺するので、アンテナ特性が著しく劣化するという問題がある。この問題は、上記特許文献１においても同様に生じる。
本発明は、このような課題に鑑みてなされたものであり、ループアンテナと板状導体とが当該導体に鏡像電流が流れる近傍位置に配置されている場合に、鏡像電流の影響によるアンテナ特性の劣化を抑制することができるループアンテナ実装装置を提供することを目的としている。
【課題を解決するための手段】
【０００６】
上記目的を達成するために、本発明の請求項１によるループアンテナ実装装置は、ループアンテナが、ループアンテナが、矩形形状の板状導体と平行又は概略平行に配置されて実装されるループアンテナ実装装置において、前記板状導体が、前記ループアンテナの弧と直交して該板状導体の中心に向かって延びる１つ以上の切り込み部を有し、前記切り込み部は、前記板状導体のうちのいずれか一辺と直交する向きに配置され、かつ、前記中心を含む前記板状導体の一部の領域が残るように形成されることを特徴とする。
この構成によれば、板状導体に、ループアンテナに流れるアンテナ電流に対して鏡像となるループ状の鏡像電流が流れるが、板状導体の切り込みが、その鏡像電流を横切って形成されている場合、鏡像電流が、切り込みのエッジ部分に突当って２方向に分流され、この分流電流が更に当該板状導体の周囲のエッジを伝って鏡像電流と逆方向に流れる。このように板状導体に、鏡像電流と逆方向電流が流れるようにしたので、この逆方向電流でアンテナ電流の磁界を高めることができる。これによって、鏡像電流の磁界によるアンテナ電流の磁界の相殺が低減されるので、アンテナ特性の劣化を抑制することができる。
【０００７】
また、この構成によれば、板状導体の切り込みがループアンテナの弧を直交状態に横切って形成されているので、ループアンテナの電流と鏡像状態に板状導体に流れる鏡像電流は、その切り込みのエッジ部分に略直角に突当り２分流され、これら分流電流が更に当該板状導体の周囲のエッジを伝って鏡像電流と逆方向に流れる。この逆方向電流でアンテナ電流の磁界が高まるので、鏡像電流の磁界によるアンテナ電流の磁界の相殺が低減され、これによってアンテナ特性の劣化を抑制することができる。
【０００８】
また、本発明の請求項２によるループアンテナ実装装置は、ループアンテナが、板状導体と平行又は概略平行に配置されて実装されるループアンテナ実装装置において、前記板状導体に少なくとも１つの切り込み部を形成し、前記切り込み部上で且つ前記板状導体との間にギャップ空間が形成される状態に、導体板の一辺を、当該切り込み部のエッジに接合したキャパシタ手段を設けたことを特徴とする。
この構成によれば、キャパシタ手段にインピーダンスが発生し、高い周波数に関しては、ループアンテナと回路基板との間に介装されるアース板やシールド板などの地板として振る舞い、低い周波数に関しては高抵抗の切り込みとして振舞う。従って、前述のように切り込みによって板状導体が地板として十分な大きさを確保できなくなった場合でも、高い周波数に関しては地板として振舞うので地板として十分な大きさを確保することができる。また、低い周波数に関しては高抵抗の切り込みとして振舞うので、前述と同様に、鏡像電流がその高抵抗の切り込みのエッジ部分で分流されて当該鏡像電流と逆方向に流れる。この逆方向電流でアンテナ電流の磁界を高めてアンテナ特性の劣化を抑制することができる。
【０００９】
また、本発明の請求項３によるループアンテナ実装装置は、請求項２において、前記キャパシタ手段における前記導体板と前記板状導体とのギャップ幅を可変調整することを特徴とする。
この構成によれば、ギャップ幅を可変調整することによって、地板として振舞う周波数を選択することが可能となる。
また、本発明の請求項４によるループアンテナ実装装置は、請求項３において、前記キャパシタ手段の前記ギャップ空間に誘電体を装荷したことを特徴とする。
この構成によれば、ギャップ空間に装荷する誘電体の誘電率や厚さに応じて地板として振舞う周波数を選択することが可能となる。
【００１０】
また、本発明の請求項５によるループアンテナ実装装置は、請求項１から４のいずれか１項において、前記板状導体に、当該板状導体の切り込みを導体で覆う閉状態と、その覆いを解除して切り込みが見える開状態とを自在に形成可能な開閉手段を組み合わせたことを特徴とする。
この構成によれば、板状導体の切り込みを自在に開閉可能なので、ループアンテナを使用する際に開状態とすれば、上記同様に、板状導体を流れる鏡像電流が切り込みのエッジ部分で分流され、鏡像電流と逆方向に流れ、この逆方向電流でアンテナ電流の磁界を高め、アンテナ特性の劣化を抑制することができる。一方、ループアンテナを使用しない場合は閉状態とすれば、切り込みの無い一枚の板状導体とすることができるので、板状導体を挟んでループアンテナと反対側に配置されている例えば回路基板に対するシールド効果をより高める等、ループアンテナ使用以外の用途に使用することができる。
【００１１】
また、本発明の請求項６によるループアンテナ実装装置は、ループアンテナが、矩形形状の板状導体と平行又は概略平行に、当該ループアンテナに流れるアンテナ電流に対して鏡像となるループ状の鏡像電流が当該板状導体に流れるように実装されるループアンテナ実装装置において、前記板状導体が、前記ループアンテナの弧と直交して該板状導体の中心に向かって延びる１つ以上の切り込み部を有し、前記切り込み部は、前記板状導体のうちのいずれか一辺と直交する向きに配置され、かつ、前記中心を含む前記板状導体の一部の領域が残るように形成されることを特徴とする。
この構成によれば、板状導体に流れる鏡像電流が、切り込みのエッジ部分に突当って２方向に分流され、この分流電流が更に当該板状導体の周囲のエッジを伝って鏡像電流と逆方向に流れる。このように板状導体に、鏡像電流と逆方向電流が流れるようにしたので、この逆方向電流でアンテナ電流の磁界を高めることができる。これによって、鏡像電流の磁界によるアンテナ電流の磁界の相殺が低減されるので、アンテナ特性の劣化を抑制することができる。
【００１２】
また、本発明の請求項７によるループアンテナ実装装置は、ループアンテナが、板状導体と平行又は概略平行に、当該ループアンテナに流れるアンテナ電流に対して鏡像となるループ状の鏡像電流が当該板状導体に流れるように実装されるループアンテナ実装装置において、前記板状導体が、前記ループアンテナの弧と直交して該板状導体の中心に向かって延びる少なくとも１つの切り込み部を有し、前記板状導体を、前記切り込み部に加え、前記鏡像電流を更に阻害するインピーダンスを発生させるキャパシタ形状としたことを特徴とする。
この構成によれば、板状導体をキャパシタ形状としたのでインピーダンスが発生し、高い周波数に関しては、ループアンテナと回路基板との間に介装されるアース板やシールド板などの地板として振る舞い、低い周波数に関しては高抵抗の切り込みとして振舞う。従って、切り込みによって板状導体が地板として十分な大きさを確保できなくなった場合でも、高い周波数に関しては地板として振舞うので地板として十分な大きさを確保することができる。また、低い周波数に関しては高抵抗の切り込みとして振舞うので、前述と同様に、鏡像電流がその高抵抗の切り込みのエッジ部分で分流されて当該鏡像電流と逆方向に流れ、この逆方向電流でアンテナ電流の磁界が高まってアンテナ特性の劣化が抑制される。
また、本発明の請求項８によるループアンテナ実装装置は、ループアンテナが、板状導体と平行又は概略平行に、当該ループアンテナに流れるアンテナ電流に対して鏡像となるループ状の鏡像電流が当該板状導体に流れるように実装されるループアンテナ実装装置において、前記板状導体に前記鏡像電流を直交に横切る少なくとも１つの切り込み部を形成し、前記切り込み部上で且つ前記板状導体との間にギャップ空間が形成される状態に、導体板の一辺を、当該切り込み部のエッジに接合したキャパシタ手段を設けたことを特徴とする。
【発明の効果】
【００１３】
以上説明したように本発明によれば、ループアンテナと板状導体とが当該導体に鏡像電流が流れる近傍位置に配置されている場合に、鏡像電流の影響によるアンテナ特性の劣化を抑制することができるという効果がある。
【発明を実施するための最良の形態】
【００１４】
以下、本発明の実施の形態を、図面を参照して説明する。
（第１の実施の形態）
図１は、本発明の第１の実施の形態に係るループアンテナ実装装置の構成を示し、（ａ）はループアンテナと板状導体との配置状態を示す斜視図、（ｂ）はループアンテナの電流を示す平面図、（ｃ）は板状導体の平面図である。
図１に示すループアンテナ実装装置の特徴は、ループアンテナ１１の近傍に平行又は概略平行に配置された板状導体１３に、ループ状に流れる鏡像電流ｉ２を直交状態に横切り、且つ当該板状導体１３の中央部を僅かに残して上下左右で十字状となる４つの切り込み１３ａ，１３ｂ，１３ｃ，１３ｄを形成した点にある。
【００１５】
このように板状導体１３に各切り込み１３ａ〜１３ｄを形成することによって、板状導体１３に鏡像電流ｉ２が各切り込み１３ａ〜１３ｄのエッジ部分で２方向に分流して鏡像電流ｉ２と逆方向に流れることになる。
即ち、図１（ｃ）に示すように、矢印Ｙ２方向に流れる鏡像電流ｉ２が、各切り込み１３ａ〜１３ｄの部分、例えば切り込み１３ａのエッジ部分で矢印Ｙ３とＹ４で示すように２方向に分流し、これらが更に矢印Ｙ５と、矢印Ｙ６，Ｙ７とで示すように鏡像電流ｉ２と逆方向に流れ、これらが合流して再度矢印Ｙ２で示す流れとなる。
【００１６】
従って、板状導体１３を、矢印Ｙ３，Ｙ５と、矢印Ｙ４，Ｙ６，Ｙ７とで示すように、矢印Ｙ１で示すアンテナ電流ｉ１と同方向に電流が流れる。言い換えれば、矢印Ｙ２で示す鏡像電流ｉ２と逆方向の電流が流れるので、この逆方向電流がアンテナ電流ｉ１の磁界を高め、これによって、鏡像電流ｉ２の磁界によるアンテナ電流ｉ１の磁界の相殺が低減され、アンテナ特性の劣化が抑制される。
【００１７】
この効果の検証例を、図２を参照して説明する。図２は、３種類の構成条件におけるループアンテナの自己インダクタンスＬ（μＨ）を比較した棒グラフを示す図である。
Ｌ１は板状導体１３がループアンテナ１１の近傍にない構成の場合のループアンテナ１１の自己インダクタンスを示し、Ｌ２は図７に示した従来構成の場合の自己インダクタンス、Ｌ３は図１に示した本実施の形態の構成の場合の自己インダクタンスを示す。
ここで、ループアンテナ１１の等価回路は、図３に示すように、電源１４に抵抗器Ｒ、コンデンサＣ、コイルＬを接続した共振回路１５として表され、その良好度Ｑ値は次式（１）で表される。
Ｑ＝ω0Ｌ／Ｒ  …（１）
ω0：共振回路の共振角周波数
この式（１）より、ループアンテナ１１は自己インダクタンスＬが大きいほど、Ｑ値も大きくなるため、効率良く共振することが分かる。
【００１８】
図２では、Ｌ１で示すように、板状導体１３がループアンテナ１１の近傍にない場合が最も自己インダクタンスが大きく、Ｌ２で示すように、板状導体１３がループアンテナの近傍にある場合が最も自己インダクタンスが小さい。つまり、Ｌ１のように、ループアンテナ１１と板状導体１３とを近傍に近づけなければ、自己インダクタンスを大きくすることができるが、この構成では、前述したように近年の携帯電話機等の小型化・多機能化の要求を満たすことができなくなる。
そこで、ループアンテナ１１と板状導体１３とを近傍に配置して尚且つ自己インダクタンスＬを大きくするには、本実施の形態の構成とすればよく、この場合、Ｌ３で示すように、Ｌ２の従来構成の場合よりも、ループアンテナ１１の自己インダクタンスＬを大きくすることができるので効率良く共振させることができる。
【００１９】
このように、第１の実施の形態のループアンテナ実装装置によれば、ループアンテナ１１の近傍に平行又は概略平行に配置された板状導体１３に、ループ状に流れる鏡像電流ｉ２を直交状態に横切り、且つ当該板状導体１３の中央部を僅かに残して上下左右で十字状となる４つの切り込み１３ａ〜１３ｄを形成し、これら切り込み１３ａ〜１３ｄ間の４領域において、鏡像電流ｉ２が該当切り込み１３ａ〜１３ｄのエッジ部分で２方向のＹ３とＹ４とに分流されて鏡像電流ｉ２と逆方向Ｙ５とＹ６，Ｙ７とに流れる電流が生成されるようにした。
このように板状導体１３に、鏡像電流ｉ２と逆方向電流が流れるようにしたので、この逆方向電流でアンテナ電流ｉ１の磁界を高めることができ、これによって、鏡像電流ｉ２の磁界によるアンテナ電流ｉ１の磁界の相殺が低減されるので、アンテナ特性の劣化を抑制することができる。
【００２０】
但し、上記実施の形態のループアンテナ実装装置では、板状導体１３に切り込み１３ａ〜１３ｄを４つ形成したが、切り込みは１つ以上であればよい。例えば切り込みが１つの場合、板状導体１３が分離しないように鏡像電流ｉ２を直交状態に横切って１筋の切り込みを形成し、尚且つ、その切り込みの両側に形成される２領域において、鏡像電流ｉ２が該当切り込みのエッジ部分で２方向に分流されて鏡像電流ｉ２と逆方向の電流が生成されるようする。
この場合も、板状導体１３に、鏡像電流ｉ２と逆方向電流が流れるので、この逆方向電流でアンテナ電流ｉ１の磁界を高めることができ、これによって、アンテナ電流ｉ１の磁界の相殺が低減されるので、アンテナ特性の劣化を抑制することができる。
【００２１】
（第２の実施の形態）
図４は、本発明の第２の実施の形態に係るループアンテナ実装装置の構成を示し、（ａ）はループアンテナと板状導体との配置状態を示す斜視図、（ｂ）はループアンテナの電流を示す平面図、（ｃ）は板状導体の平面図、（ｄ）は板状導体の１キャパシタ型切り込み部の拡大斜視図である。
図４に示す第２の実施の形態のループアンテナ実装装置が第１の実施の形態と異なる点は、板状導体１３の各切り込み１３ａ〜１３ｄの部分に、側辺がＬ字形状の導体板によるキャパシタ状地板１７ａ〜１７ｄを設けて成るキャパシタ型切り込み部１６ａ〜１６ｄを形成したことにある。
【００２２】
各キャパシタ型切り込み部１６ａ〜１６ｄは、図４（ｄ）に１つのキャパシタ型切り込み部１６ａを代表して示すように、切り込み１３ａの一方のエッジに、側辺がＬ字形状の板によるキャパシタ状地板１７ａの一辺を接合し、この接合されたキャパシタ状地板１７ａをループアンテナ１１側から見た際に切り込み１３ａが隠れ、当該キャパシタ状地板１７ａと板状導体１３との間にギャップ空間Ｇが形成される状態として構成したものである。
そのギャップ空間ＧによるキャパシタのインピーダンスＺは次式（２）により定義できる。  Ｚ＝１／jωＣ  …（２）
ω：角周波数
Ｃ：キャパシタの容量
【００２３】
このように、キャパシタ状地板１７と板状導体１３との導体間のギャップ空間Ｇをキャパシタ状の構成とすることにより、インピーダンスＺが発生し、上式（２）より、高い周波数に関しては回路基板のアース板やシールド板などの地板として、低い周波数に関しては高抵抗の切り込み１３ａ〜１３ｄとして振舞う構成となる。
【００２４】
従って、第２の実施の形態のループアンテナ実装装置によれば、切り込み１３ａ〜１３ｄにキャパシタ状地板１７ａ〜１７ｄを組み合わせてキャパシタ型切り込み部１６ａ〜１６ｄを形成したので、切り込み１３ａ〜１３ｄによって板状導体１３がアース板やシールド板などの地板として十分な大きさを確保できなくなった場合でも、高い周波数に関してはアース板やシールド板などの地板として振舞うので地板として十分な大きさを確保することができる。
この場合、キャパシタ状地板１７と板状導体１３との導体間のギャップ幅を調整することによって、地板として振舞う周波数を選択することが可能となる。
【００２５】
また、キャパシタ型切り込み部１６ａ〜１６ｄは、低い周波数に関しては高抵抗の切り込み１３ａ〜１３ｄとして振舞うので、上記第１の実施の形態と同様に、矢印Ｙ２方向の鏡像電流ｉ２が該当切り込み１３ａ〜１３ｄのエッジ部分で２方向のＹ３とＹ４とに分流されて鏡像電流ｉ２と逆方向Ｙ５とＹ６，Ｙ７とに流れる電流が生成される。従って、その逆方向電流でアンテナ電流ｉ１の磁界を高め、アンテナ特性の劣化を抑制することができる。
この他、第２の実施の形態の変形例として、図５に１つのキャパシタ型切り込み部を代表して示すように、ギャップ空間Ｇに誘電体１９ａを装荷したキャパシタ型切り込み部２０ａとしてもよい。
このような構成とすることで、装荷する誘電体１９ａの誘電率や厚さに応じて地板として振舞う周波数を選択することが可能となる。
【００２６】
（第３の実施の形態）
図６は、本発明の第３の実施の形態に係るループアンテナ実装装置の板状導体の構成を示し、（ａ）は板状導体の切り込みをオープン状態とした平面図、（ｂ）は板状導体の切り込みをクローズ状態とした平面図である。
図６に示す第３の実施の形態のループアンテナ実装装置の板状導体装置２２は、上記の板状導体１３の切り込み１３ａ〜１３ｄよりも一回り大きい形状（又は同形状）で、それら切り込み１３ａ〜１３ｄと同様に各切り込み２４ａ〜２４ｄを設けた円形板状導体（開閉手段）２４を、板状導体１３の裏面に互いの中心を合わせて中心軸２６で回動自在に組み合わせて形成したものである。
【００２７】
このような板状導体装置２２によれば、図６（ａ）に示すように、板状導体１３の切り込み１３ａ〜１３ｄと、円形板状導体２４の切り込み２４ａ〜２４ｄとを重ねることによってループアンテナ１１側から見ると板状導体１３に切り込み１３ａ〜１３ｄが形成された状態（開状態）とすることができる。
一方、そのオープン状態から円形板状導体２４を例えば右に所定角度ずらすことによって、（ｂ）に示すように、板状導体１３の切り込み１３ａ〜１３ｄを閉じる閉状態、言い換えれば切り込み１３ａ〜１３ｄが形成されていない状態とすることができる。
【００２８】
従って、第３の実施の形態のループアンテナ実装装置の板状導体装置２２によれば、ループアンテナ１１を使用する際に開状態とすれば、上記第１の実施の形態と同様に、板状導体１３を流れる鏡像電流ｉ２が切り込み１３ａ〜１３ｄのエッジ部分で２方向に分流され、鏡像電流ｉ２と逆方向に流れ、この逆方向電流でアンテナ電流ｉ１の磁界を高め、アンテナ特性の劣化を抑制することができる。
一方、ループアンテナ１１を使用しない場合は閉状態とすれば、切り込みの無い一枚の板状導体１３とすることができるので、板状導体１３を挟んでループアンテナ１１と反対側に配置されている図示せぬ回路基板に対するシールド効果をより高める等、ループアンテナ１１使用以外の用途に使用することができる。
【００２９】
なお、板状導体装置２２は、板状導体１３の切り込み１３ａ〜１３ｄをオープン状態及びクローズ状態とできる構成であれば、開閉手段である円形板状導体２４に代え、他の開閉手段を用いてもよい。例えば、各切り込み１３ａ〜１３ｄの形状よりもやや大きい４つの突出部を有する十字状を成し、それら突出部を各切り込み１３ａ〜１３ｄに合わせてクローズ状態とし、切り込み１３ａ〜１３ｄからずらしてオープン状態としてもよい。また、板を上下又は左右等にスライドさせてオープン状態及びクローズ状態とするようにしてもよい。
【産業上の利用可能性】
【００３０】
本発明のループアンテナ実装装置は、携帯電話機等の小型集積端末装置の非接触充電システム（電磁誘導型）や非接触ＩＣカードシステム等に用いられるコイル状のループアンテナを実装する装置に用いることができる。そして、ループアンテナの近傍に配置される板状導体の悪影響により生じるアンテナ特性の劣化を抑制することができるので、ループアンテナ実装装置である携帯電話機等のエネルギー効率の向上、通信可能領域の拡大を実現することができる。
【図面の簡単な説明】
【００３１】
【図１】本発明の第１の実施の形態に係るループアンテナ実装装置の構成を示し、（ａ）はループアンテナと板状導体との配置状態を示す斜視図、（ｂ）はループアンテナの電流を示す平面図、（ｃ）は板状導体の平面図である。
【図２】３種類の構成条件におけるループアンテナの自己インダクタンスを比較した棒グラフを示す図である。
【図３】ループアンテナの等価回路を示す図である。
【図４】本発明の第２の実施の形態に係るループアンテナ実装装置の構成を示し、（ａ）はループアンテナと板状導体との配置状態を示す斜視図、（ｂ）はループアンテナの電流を示す平面図、（ｃ）は板状導体の平面図、（ｄ）は板状導体の１キャパシタ型切り込み部の拡大斜視図である。
【図５】第２の実施の形態のループアンテナ実装装置における板状導体のキャパシタ構成の変形例を示す図である。
【図６】本発明の第３の実施の形態に係るループアンテナ実装装置の板状導体の構成を示し、（ａ）は板状導体の切り込みをオープン状態とした平面図、（ｂ）は板状導体の切り込みをクローズ状態とした平面図である。
【図７】従来のループアンテナ実装装置の構成を示し、（ａ）はループアンテナと板状導体との配置状態を示す斜視図、（ｂ）はループアンテナの電流を示す平面図、（ｃ）は板状導体の平面図である。
【符号の説明】
【００３２】
１１  ループアンテナ
１３  板状導体
１３ａ〜１３ｄ  切り込み
１５  ループアンテナの等価回路
１６ａ〜１６ｄ  キャパシタ型切り込み部
１７ａ〜１７ｄ  キャパシタ状地板
１９ａ  誘電体
２２  板状導体装置
２４  円形板状導体
２４ａ〜２４ｄ  切り込み
ｉ１  ループアンテナの電流
ｉ２  鏡像電流
Ｙ１  ループアンテナの電流方向
Ｙ２  鏡像電流方向
Ｙ３，Ｙ４，Ｙ５，Ｙ６，Ｙ７  鏡像電流の分流電流
Ｌ１  板状導体がループアンテナの近傍にない構成時のループアンテナの自己インダクタンス
Ｌ２  従来構成時のループアンテナの自己インダクタンス
Ｌ３  実施の形態の構成時のループアンテナの自己インダクタンス
【図１】
0004922845.tif 000002
【図２】
0004922845.tif 000003
【図３】
0004922845.tif 000004
【図４】
0004922845.tif 000005
【図５】
0004922845.tif 000006
【図６】
0004922845.tif 000007
【図７】
0004922845.tif 000008